(57)【要約】【課題】狭小スペースにおいて外壁パネルを室内側から取り付けるための治具を提供する。【解決手段】パネル引き寄せ治具１は、第１建築用パネルＰ１に第２建築用パネルＰ２を水平方向に引き寄せるための治具であって、第１治具１０と、第２治具２０と、横方向締結部材３０とを備え、第１治具は、第１建築用パネルの裏面側に固定される第１固定部１１と、前記第１固定部の側部から垂直方向に延びる第１接合部１２と、第１建築用パネルと第２建築用パネルとの間に挿入される第１スペーサ１３とを有し、第２治具は、第２建築用パネルの裏面側に固定される第２固定部２１と、第２固定部の側部から垂直方向に延びる第２接合部２２と、前記第１建築用パネルと前記第２建築用パネルとの間に挿入される第２スペーサ２３とを有し、横方向締結部材は第１横貫通孔と第２横貫通孔とに挿通され、横方向締結部材を締結することで第２治具を水平方向に引き寄せる。【選択図】図１
2020105771.tif 000002
【特許請求の範囲】
【請求項１】
既設の第１建築用パネルに第２建築用パネルを前記第１建築用パネルの水平方向に引き寄せるためのパネル引寄せ治具であって、
第１治具と、第２治具と、前記第１治具と前記第２治具とを連結する複数の横方向締結部材と、を備え、
前記第１治具は、
前記第１建築用パネルの裏面側に固定される平板状の第１固定部と、
前記第２治具に対向する前記第１固定部の側部から、前記第１固定部に対して垂直方向に延びる平板状の第１接合部と、
前記第１固定部の前記側部から前記第１固定部に対して垂直方向かつ前記第１接合部の反対方向に延び、前記第１建築用パネルと前記第２建築用パネルとの間に挿入され少なくとも一部が所定の厚さで形成された第１スペーサと、を有し、
前記第２治具は、
前記第２建築用パネルの裏面側に固定される平板状の第２固定部と、
前記第１治具に対向する前記第２固定部の側部から、前記第２固定部に対して垂直方向に延びる平板状の第２接合部と、
前記第２固定部の前記側部から前記第２固定部に対して垂直方向かつ前記第２接合部の反対方向に延び、前記第１建築用パネルと前記第２建築用パネルとの間に挿入され少なくとも一部が所定の厚さで形成された第２スペーサと、を有し、
前記複数の横方向締結部材は、前記第１接合部に形成された複数の第１横貫通孔と、前記複数の第１横貫通孔に合わせて前記第２接合部に形成された複数の第２横貫通孔とに、共に挿通され、前記複数の横方向締結部材を締結することにより前記第１治具に前記第２治具を水平方向に引き寄せることを特徴とするパネル引き寄せ治具。
【請求項２】
前記第１治具と前記第２治具とを連結する複数の縦方向締結部材を備え、
前記第１治具は、
前記第１接合部の上端部から、前記第１接合部に対して垂直方向に延びる平板状の第１上方接合部と、
前記第１接合部の下端部から、前記第１接合部に対して垂直方向かつ前記第１上方接合部の反対方向に延びる平板状の第１下方接合部と、を有し、
前記第２治具は、
前記第２接合部の上端部から、前記第２接合部に対して垂直方向かつ前記第１上方接合部と同方向に延びる平板状の第２上方接合部と、
前記第２接合部の下端部から、前記第２接合部に対して垂直方向かつ前記第２上方接合部の反対方向に延びる平板状の第２下方接合部と、を有し、
前記複数の縦方向締結部材のうちの第１縦方向締結部材は、前記第１上方接合部に形成された第１縦貫通孔と、前記第１縦貫通孔に合わせて前記第２上方接合部に形成された第２縦貫通孔とに、共に挿通され、
前記複数の縦方向締結部材のうちの第２縦方向締結部材は、前記第１下方接合部に形成された第３縦貫通孔と、前記第１縦貫通孔に合わせて前記第２下方接合部に形成された第４縦貫通孔とに、共に挿通され、
前記第１縦方向締結部材及び前記第２縦方向締結部材を締結することにより、前記第１治具に第２治具を上下方向に引き寄せることを特徴とする請求項１に記載のパネル引き寄せ治具。
【請求項３】
前記複数の第１横貫通孔及び、前記第１横貫通孔に合わせて形成された前記第２横貫通孔のうち、少なくともいずれか一方が上下方向に長い長孔である、ことを特徴とする請求項１又は２に記載のパネル引き寄せ治具。
【請求項４】
前記第１スペーサは、前記第２建築用パネルに当接する部分にボールが設けられたボールキャスターを有し、
前記第２スペーサは、前記第１建築用パネルに当接する部分にボールが設けられたボールキャスターを有する、ことを特徴とする請求項１から３のいずれか一項に記載のパネル引き寄せ治具。
【請求項５】
既設の第１建築用パネルに第２建築用パネルを取り付ける建築用パネル取付工法であって、
前記既設の第１建築用パネル及び前記第２建築用パネルの互いに対向する側面のうちいずれか一方に予めガスケットの一端を取り付けるガスケット取付工程と、
前記既設の第１建築用パネル及び前記第２建築用パネルの互いに対向する側面のうちの他方の側面に、予め取り付けられた前記ガスケットの他端を挿入するよう、前記第２建築用パネルを前記第１建築用パネルの水平方向に引き寄せて固定するパネル取付工程と、を備えることを特徴とする建築用パネル取付工法。
【請求項６】
前記パネル取付工程は、請求項１から４のいずれか一項に記載のパネル引き寄せ治具を用いて、前記第２建築用パネルを前記第１建築用パネルの水平方向に引き寄せて固定する、ことを特徴とする請求項５に記載の建築用パネル取付工法。
【発明の詳細な説明】
【技術分野】
【０００１】
本発明は、パネル引き寄せ治具及び建築用パネル取付工法に係り、特に、隣接建物又は障害物等が迫る狭小スペースにおいて建築用パネルを取り付ける際に用いるパネル引き寄せ治具及び建築用パネルを取り付ける建築用パネル取付工法に関する。
【背景技術】
【０００２】
従来、建築物の外壁として、耐久性等に優れたサイディング、ＡＬＣ、タイル、モルタル塗装等の外壁パネル（建築用パネル）が用いられている。厚みや重量のあるそれらの外壁パネルを建築物に取り付けする際には、積載ラック等に平積みされた状態から、建築現場に据え付けられたクレーン等の吊り上げ装置に懸吊された治具によって、外壁パネルの組み付け時に上方部に相当する一端部を一枚ずつ吊り上げて立て起こすように持ち上げる。そして、建築物の所定の取付位置に移動させ、室外側から室内側に外壁パネルを引き込むことで取付けることが一般的である。外壁パネルを取り付けた後は、建築物の室外側でガスケット等を目地に取り付ける防水工事が行われる。
【０００３】
また、特許文献１には、上階の床やベランダ等の障害物が、外壁パネルの取付位置より外側に張り出している場合であっても、その張出部分の内側にある外壁パネルの取付位置に外壁パネルを取り付けることができるよう、一対のレール部材を用いて室外側から室内側に外壁パネルを引き込む外壁パネル取付装置及び外壁パネル取付工法が開示されている。
【先行技術文献】
【特許文献】
【０００４】
【特許文献１】特開２０１４−１９８９６０号公報
【発明の概要】
【発明が解決しようとする課題】
【０００５】
一方、近年では敷地を有効に活用するという観点から、建築物が隣接する構造物と接近して建築されることがあり、構造物に接近した狭小スペースにおいても外壁パネルを取り付けることが要望されるようになってきた。しかしながら、狭小スペースでは室外側に作業員がガスケット等を取り付ける防水工事を行うことが困難である。そのため、狭小スペースにおいて外壁パネルを室内側から取り付けるための治具や、室内側から取り付けると共に止水性を担保することが可能な建築用パネルの取付工法が望まれていた。
【課題を解決するための手段】
【０００６】
上記課題は、本発明のパネル用引き寄せ治具によれば、既設の第１建築用パネルに第２建築用パネルを前記第１建築用パネルの水平方向に引き寄せるためのパネル引寄せ治具であって、第１治具と、第２治具と、前記第１治具と前記第２治具とを連結する複数の横方向締結部材と、を備え、前記第１治具は、前記第１建築用パネルの裏面側に固定される平板状の第１固定部と、前記第２治具に対向する前記第１固定部の側部から、前記第１固定部に対して垂直方向に延びる平板状の第１接合部と、前記第１固定部の前記側部から前記第１固定部に対して垂直方向かつ前記第１接合部の反対方向に延び、前記第１建築用パネルと前記第２建築用パネルとの間に挿入され少なくとも一部が所定の厚さで形成された第１スペーサと、を有し、前記第２治具は、前記第２建築用パネルの裏面側に固定される平板状の第２固定部と、前記第１治具に対向する前記第２固定部の側部から、前記第２固定部に対して垂直方向に延びる平板状の第２接合部と、前記第２固定部の前記側部から前記第２固定部に対して垂直方向かつ前記第２接合部の反対方向に延び、前記第１建築用パネルと前記第２建築用パネルとの間に挿入され少なくとも一部が所定の厚さで形成された第２スペーサと、を有し、前記複数の横方向締結部材は、前記第１接合部に形成された複数の第１横貫通孔と、前記複数の第１横貫通孔に合わせて前記第２接合部に形成された複数の第２横貫通孔とに、共に挿通され、前記複数の横方向締結部材を締結することにより前記第１治具に前記第２治具を水平方向に引き寄せることにより解決される。
【０００７】
上記のように構成された本発明のパネル用引き寄せ冶具は、第１建築用パネルの裏面側に固定される第１治具と、第２建築用パネルの裏面側にされる第２治具とを備えていて、横方向締結部材を締結することにより、第１治具に第２治具を引き寄せる。そのため、室内側にいる作業者が、第１建築用パネルに第２建築用パネルを水平方向にスライドさせて取り付けることができる。従来のように室外側から室内側に引き込むのではなく、水平方向にスライドさせて、第１建築用パネルに第２建築用パネルを取り付けることができる。そのため、例えば第２建築用パネルにガスケットを予め設けておき、第１パネルの所定位置にガスケットを差し込むことが可能になる。
また、第１スペーサと第２スペーサが、第１建築用パネルと第２建築用パネルとの間に挿入されることで、第１建築用パネルと第２建築用パネルとの間に所定の間隔をあけて取り付けることができる。
【０００８】
また、上記のパネル用引き寄せ治具に関して好適な構成を述べると、前記第１治具と前記第２治具とを連結する複数の縦方向締結部材を備え、前記第１治具は、前記第１接合部の上端部から、前記第１接合部に対して垂直方向に延びる平板状の第１上方接合部と、前記第１接合部の下端部から、前記第１接合部に対して垂直方向かつ前記第１上方接合部の反対方向に延びる平板状の第１下方接合部と、を有し、前記第２治具は、前記第２接合部の上端部から、前記第２接合部に対して垂直方向かつ前記第１上方接合部と同方向に延びる平板状の第２上方接合部と、前記第２接合部の下端部から、前記第２接合部に対して垂直方向かつ前記第２上方接合部の反対方向に延びる平板状の第２下方接合部と、を有し、前記複数の縦方向締結部材のうちの第１縦方向締結部材は、前記第１上方接合部に形成された第１縦貫通孔と、前記第１縦貫通孔に合わせて前記第２上方接合部に形成された第２縦貫通孔とに、共に挿通され、前記複数の縦方向締結部材のうちの第２縦方向締結部材は、前記第１下方接合部に形成された第３縦貫通孔と、前記第１縦貫通孔に合わせて前記第２下方接合部に形成された第４縦貫通孔とに、共に挿通され、前記第１縦方向締結部材及び前記第２縦方向締結部材を締結することにより、前記第１治具に第２治具を上下方向に引き寄せてもよい。
【０００９】
上記構成により、第１縦方向締結部材と第２縦方向締結部材を締結することで第１治具に第２治具を上下方向に引き寄せることができる。そのため、第１建築用パネルに対して第２建築用パネルが上下方向にずれた場合であっても、第２建築用パネルの位置を修正することが可能となる。
【００１０】
また、上記パネル用引き寄せ治具に関して好適な構成を述べると、前記複数の第１横貫通孔及び、前記第１横貫通孔に合わせて形成された前記第２横貫通孔のうち、少なくともいずれか一方が上下方向に長い長孔であってもよい。
【００１１】
第１横貫通孔又は第２横貫通孔の少なくともいずれか一方を上下方向に長い長孔にすることで、第２建築用パネルが第１建築用パネルに対して上下方向にずれていた場合であっても、横方向締結部材を挿入することができる。そのため横方向締結部材を締結することにより、第１建築用パネルに対して第２建築用パネルを引き込むことができる。
【００１２】
また、上記パネル用引き寄せ治具に関して好適な構成を述べると、前記第１スペーサは、前記第２建築用パネルに当接する部分にボールが設けられたボールキャスターを有し、前記第２スペーサは、前記第１建築用パネルに当接する部分にボールが設けられたボールキャスターを有してもよい。
【００１３】
第１スペーサ及び第２スペーサは第１建築用パネルと第２建築用パネルの間に挟まれることから、第１スペーサ及び第２スペーサを板材のみで構成すると当接する部分において接触摩擦により引き出し難くなる場合がある。第１スペーサ及び第２スペーサに、ボールキャスターを設けることで、当接する部分における接触摩擦が緩和され、第２建築用パネルを固定した後、第１建築用パネルと第２建築用パネルとの隙間から、第１スペーサ及び第２スペーサを引き出すことが容易になる。また、ボールが当接しているため、引き出す際に発生する場合がある第１建築用パネル及び第２建築用パネルへの損傷を防止することができる。
【００１４】
また、上記課題は、本発明の建築用パネル取付工法によれば、既設の第１建築用パネルに第２建築用パネルを取り付ける建築用パネル取付工法であって、前記既設の第１建築用パネル及び前記第２建築用パネルの互いに対向する側面のうちいずれか一方に予めガスケットの一端を取り付けるガスケット取付工程と、前記既設の第１建築用パネル及び前記第２建築用パネルの互いに対向する側面のうちの他方の側面に、予め取り付けられた前記ガスケットの他端を挿入するよう、前記第２建築用パネルを前記第１建築用パネルの水平方向に引き寄せて固定するパネル取付工程と、を備えることにより解決される。
【００１５】
第２建築用パネルを水平方向に引き寄せて取り付けることにより、第１建築用パネル又は第２建築用パネルに設けられたガスケットを、他方の建築用パネルの側部に差し込むことができる。室外側からガスケットを取り付ける必要がなくなり、狭小スペースにおいても止水性を担保しつつ、室内側からの作業のみで第２建築用パネルを固定することができる。
【００１６】
また、上記の建築用パネル取付工法に関して好適な構成を述べると、前記パネル取付工程は、上記のパネル引き寄せ治具を用いて、前記第２建築用パネルを前記第１建築用パネルの水平方向に引き寄せて固定してもよい。室内側で第２建築用パネルを水平方向に引き寄せるために作業員はシノ等の工具を用いても実行可能であるが、上記のパネル引き寄せ治具を用いることで、より容易に引き寄せることができる。
【発明の効果】
【００１７】
本発明のパネル引き寄せ治具及び建築用パネル取付工法によれば、第２建築用パネルを水平方向にスライドさせて、第１建築用パネルに第２建築用パネルを取り付けることができる。第１建築用パネル又は第２建築用パネルのいずれか一方に予めガスケットを取り付けておくことにより、室外側から防水工事をする必要がなくなり、狭小スペースにおいても、止水性を担保しつつ建築用パネルを室内側から取り付けることが可能になる。
【図面の簡単な説明】
【００１８】
【図１】本発明に係るパネル引き寄せ治具を外壁パネルに取り付けた状態を示す斜視図である。
【図２】パネル引き寄せ治具を外壁パネルに取り付けた状態を示す、図１のＩＩ−ＩＩ線に沿った断面図である。
【図３】パネル引き寄せ治具を外壁パネルに取り付けた状態を示す正面図である。
【図４】パネル引き寄せ治具を用いて、外壁パネルを引き寄せた状態を示す斜視図である。
【図５】パネル引き寄せ治具を用いて、外壁パネルを引き寄せた状態を示す図４のＶ−Ｖ線に沿った断面図である。
【図６】パネル引き寄せ治具を用いて、外壁パネルを引き寄せた状態を示す正面図である。
【図７】パネル引き寄せ治具の第１治具を示す三面図であり、（ａ）は図１の矢印Ａ方向から見た正面図、（ｂ）は図１の矢印Ｂ方向から見た側面図、（ｃ）は図１の矢印Ｃ方向から見た平面図である。
【図８】パネル引き寄せ治具の第２治具を示す三面図であり、（ａ）は図１の矢印Ａ方向から見た正面図、（ｂ）は矢印Ｄ方向から見た側面図、（ｃ）は矢印Ｃ方向から見た平面図である。
【図９】本発明の第二実施形態に係るパネル引き寄せ治具の構成を示す分解斜視図である。
【図１０】第二実施形態に係るパネル引き寄せ治具を外壁パネルに取り付けた状態を示す斜視図である。
【図１１】パネル引き寄せ治具を外壁パネルに取り付けた状態を示す、図１０のＸＩ−ＸＩ線に沿った断面図である。
【図１２】パネル引き寄せ治具を外壁パネルに取り付けた状態を示す正面図である。
【図１３】パネル引き寄せ治具を用いて外壁パネルを上下方向に引き寄せた状態を示す正面図である。
【図１４】第二実施形態のパネル引き寄せ治具の第１治具を示す三面図であり、（ａ）は図９の矢印Ａ方向から見た正面図、（ｂ）は図９の矢印Ｂ方向から見た側面図、（ｃ）は矢印Ｃ方向から見た平面図である。
【図１５】第二実施形態のパネル引き寄せ治具の第２治具を示す三面図であり、（ａ）は図９の矢印Ａ方向から見た正面図、（ｂ）は図９の矢印Ｄ方向から見た側面図、（ｃ）は矢印Ｃ方向から見た平面図である。
【図１６】本発明の建築用パネル取付工法を示すフローチャートである。
【発明を実施するための形態】
【００１９】
以下、図１〜図５に基づき、本発明の一実施形態（以下、本実施形態）について説明する。なお、以下に説明する実施形態は、本発明の理解を容易にするための一例であり、本発明を限定するものではない。すなわち、本発明は、その趣旨を逸脱することなく、変更、改良され得ると共に、本発明にはその等価物が含まれることは勿論である。また、以下の実施形態において同一又は類似の構成要素には共通の参照符号を付して示し、理解を容易にするために、これら図面は縮尺を適宜変更している。
【００２０】
なお、以下の説明における前後方向とは、外壁パネルの壁面に対する垂直方向である。また、外壁パネルの壁面に向かって左右の方向に延びる方向、横方向を水平方向と称する。また、外壁パネルの壁面に向かって上下方向を縦方向と称する場合がある。また、外壁パネルの壁面側を表面側又は室外側とし、壁面の反対側を裏面側又は室内側とする。
【００２１】
まず、本実施形態のパネル引き寄せ治具１により引き込む、外壁パネルについて説明する。図１から図３は、既に設置されている第１外壁パネルＰ１に、第２外壁パネルＰ２を取り付ける前の状態を示している。また、図４から図６は第１外壁パネルＰ１に、第２外壁パネルＰ２を取り付けた状態を示している。第１外壁パネルＰ１及び第２外壁パネルＰ２は同じ構造であり、外壁面材５４と、縦胴縁５３と、板材（グラスウール板等）５２と、外壁面材５４を取り付ける支持材となるフレーム５１とを備えている。フレーム５１の内側には、断熱材５５が充填される（図１、図４では表示を省略している）。縦胴縁５３は、外壁面材５４の裏面側（室内側）に位置していて、板材５２は縦胴縁５３の裏面側（室内側）に位置している。縦胴縁５３及び板材５２は、図示しない釘によってフレーム５１に固定される。
【００２２】
左右隣り合う、第１外壁パネルＰ１と第２外壁パネルＰ２との間には縦目地が形成される。そして、縦目地をシールするガスケット５７が、図１及び図２に示すように、第２外壁パネルＰ２の外壁面材５４と板材５２との間に予め設けられている。
【００２３】
本実施形態では、既設の第１外壁パネルＰ１に、第２外壁パネルＰ２を水平方向（図１、２の矢印Ｂ方向）にスライドさせて取り付ける。従来、外壁パネルを取り付ける場合は外壁パネルを取り付け位置まで移動させ、室外側から室内側に引き込むことにより外壁パネルを取り付けていた。しかしながら、従来の工法により、図１及び図２に示すガスケット等が予め設けられた第２外壁パネルＰ２を室外側から室内側に引き込んで取り付けると、ガスケット５７が引き込む際によじれてしまい、第１外壁パネルＰ１にガスケット５７を取り付けることができない。そのため、本実施形態では、第２外壁パネルＰ２を水平方向にスライドさせて取り付けている。そのため、一端が第２外壁パネルＰ２に予め取り付けられたガスケット５７の他端が、第１外壁パネルＰ１の外壁面材５４と板材５２との間に挿入され、図４及び図５に示すように、ガスケット５７がよじれることなく取り付けられる。
【００２４】
ガスケット５７は、例えば、エチレン・プロビレンゴム（ＥＰＤＭ）等の合成ゴムからなる部材である。ガスケット５７はオレフィン系エラストマー（ＴＰＯ）のような熱可塑性エラストマー又はポリ塩化ビニル（ＰＶＣ）などの樹脂から形成されてもよい。
【００２５】
次に本実施形態のパネル引き寄せ治具１について説明する。作業者はシノ等の治具を用いて第２外壁パネルＰ２を水平方向に引き寄せることも可能である。しかしながら、シノを挿入する箇所が、ガスケット５７が取り付けられた位置と反対側の端部にあることから、作業者が確認すべきガスケット５７の位置と離れているため、第２外壁パネルＰ２を横にスライドさせつつ取り付ける作業が困難であった。そのため、ガスケット５７の状態を確認しつつ、容易に第２外壁パネルＰ２を水平方向に引き寄せる治具が求められていた。
【００２６】
本実施形態のパネル引き寄せ治具１は、既設の第１外壁パネルＰ１（第１建築用パネル）に第２外壁パネルＰ２（第２建築用パネル）を水平方向に引き寄せるための治具である。パネル引き寄せ治具１は、第１治具１０と、第２治具２０と、第１治具１０と第２治具２０とを連結する複数の横方向締結部材３０とを備える。
【００２７】
第１治具１０は、第１外壁パネルＰ１の裏面側に固定される平板状の第１固定部１１と、第２治具２０に対向する第１固定部１１の側部から第１固定部１１に対して垂直方向（第１外壁パネルＰ１の裏面方向、図１の矢印Ｅ方向）に延びる平板状の第１接合部１２とを有する。また、第１治具１０は、第１固定部１１の側部から第１固定部１１に対して垂直方向にかつ第１接合部１２の反対方向（第１外壁パネルＰ１の表面方向、図１の矢印Ａ方向）に延び、第１外壁パネルＰ１と第２外壁パネルＰ２との間に挿入される第１スペーサ１３を備える。
第１スペーサ１３は少なくとも一部が所定の厚さＴになるよう形成されており、図５及び図６に示すように、第２外壁パネルＰ２が取り付けられたとき、第１外壁パネルＰ１と第２外壁パネルＰ２との間に所定間隔Ｔの隙間が設けられる。
【００２８】
第２治具２０は、第２外壁パネルＰ２の裏面側に固定される平板状の第２固定部２１と、第１治具１０に対向する第２固定部２１の側部から、第１外壁パネルＰ１の裏面方向かつ第２固定部２１に対して垂直方向（図１の矢印Ｅ方向）に延びる平板状の第２接合部２２とを有する。また、第２治具２０は、第２固定部２１の側部から第２固定部２１に対して垂直方向かつ第２接合部２２の反対方向（第２外壁パネルＰ２の表面方向、図１の矢印Ａ方向）に延び、第１外壁パネルＰ１と第２外壁パネルＰ２との間に挿入される、第２スペーサ２３を備える（図５及び図８参照）。
第２スペーサ２３は少なくとも一部が所定の厚さになるよう形成されており、図５及び図６に示すように、第２外壁パネルＰ２が取り付けられたとき第１外壁パネルＰ１と第２外壁パネルＰ２との間に所定間隔Ｔの隙間が設けられる。
【００２９】
パネル引き寄せ治具１を使用する際、第１治具１０は第１外壁パネルＰ１に、第１外壁パネルＰ１のフレーム５１に形成されている不図示の貫通孔又はボルト孔を利用して取り付けられる。第１治具１０の第１固定部１１に形成された第１取付孔１９（図７参照）と、フレーム５１に形成された貫通孔又はボルト孔とに取付部材３２を挿通して締結することで、第１治具１０が第１外壁パネルＰ１に固定される。
【００３０】
第２治具２０は第２外壁パネルＰ２に、第２外壁パネルＰ２のフレーム５１に形成されている不図示の貫通孔又はボルト孔を利用して取り付けられる。第２治具２０の第２固定部２１に形成された第２取付孔２９（図８参照）と、フレーム５１に形成された貫通孔又はボルト孔とに取付部材３２を挿通して締結することで、第１治具１０が第１外壁パネルＰ１に固定される。なお、本実施形態の取付部材３２はボルトであるが、フレーム５１の貫通孔に雌ネジが形成されていない又はナットが取り付けられていない場合、第１治具１０又は第２治具２０は先端がＬ字状に曲げられたアンカーボルトを利用して固定されてもよい。
【００３１】
第１治具１０の第１接合部１２には、図１及び図７に示すように複数の第１横貫通孔１４が形成されている。また、第２治具２０の第２接合部２２には、図１及び図８に示すように、第１接合部１２の複数の第１横貫通孔１４の位置に合わせて複数の第２横貫通孔２４が形成されている。
【００３２】
第１外壁パネルＰ１に、第２外壁パネルＰ２を引き寄せる際、図３に示すように、第１横貫通孔１４及びそれに対応する第２横貫通孔２４のそれぞれに横方向締結部材３０のボルト３３を共に挿通する。そして、横方向締結部材３０を締結することにより、第１治具１０及び第２治具２０の距離が縮まり、図４〜図６に示すように、第２治具２０によって第２外壁パネルＰ２が引き寄せられる。第１外壁パネルＰ１と第２外壁パネルＰ２との間には、第１スペーサ１３及び第２スペーサ２３が挟まれている。そのため、第１外壁パネルＰ１と第２外壁パネルＰ２との間には所定間隔Ｔが維持された状態で、第２外壁パネルＰ２を建物の躯体等に固定することができる。
【００３３】
第２外壁パネルＰ２を固定した後、パネル引き寄せ治具１は、第１外壁パネルＰ１及び第２外壁パネルＰ２から取り外され、次の外壁パネルの取付けに利用される。
【００３４】
なお、第１横貫通孔１４及びそれに対応する第２横貫通孔２４は、図７及び図８に示すようにいずれか一方が上下方向に長い長孔１４ａ，２４ａ（ルーズ孔）で形成されてもよい。第１横貫通孔１４及びそれに対応する第２横貫通孔２４の両方が長孔１４ａ，２４ａで形成されてもよい。図３に示すように第２外壁パネルＰ２が吊り上げる際、若干斜めとなっていたときや、フレーム５１に形成された貫通孔がずれている場合、第１横貫通孔１４と第２横貫通孔２４を同じ大きさで形成すると、横方向締結部材３０のボルト３３を挿通することができない場合がある。そのため、いずれか一方を長孔１４ａ，２４ａに形成することで、横方向締結部材３０を取り付けやすくしている。
【００３５】
また、第１治具１０は、第１スペーサ１３に、第２外壁パネルＰ２に当接する部分にボール３５ａが位置するよう設けられたボールキャスター３５を有する。第２治具２０は、第２スペーサ２３に、第２外壁パネルＰ２に当接する部分にボール３５ａが位置するよう設けられたボールキャスター３５を有する。第１スペーサ１３及び第２スペーサ２３は、第１外壁パネルＰ１及び第２外壁パネルＰ２に挟まれることから、第１スペーサ１３及び第２スペーサ２３を板材のみで構成すると、当接する部分において接触摩擦が発生しそれにより、第１スペーサ１３及び第２スペーサ２３を引き出し難くなる場合がある。ボール３５ａが第１外壁パネルＰ１及び第２外壁パネルＰ２に当接するよう構成することにより、接触摩擦が緩和され、第２外壁パネルＰ２を取り付けた後においても、挟まれた第１スペーサ１３及び第２スペーサ２３を、容易に引き抜くことができる。また、ボール３５ａが当接しているため、第１スペーサ１３及び第２スペーサ２３により第１外壁パネルＰ１の側面又は第２外壁パネルＰ２の側面を損傷することが抑止される。なお、本実施形態では、第１スペーサ１３及び第２スペーサ２３の厚さはボール３５ａを含めて約１０ｍｍになるよう形成されていて、第１外壁パネルＰ１及び第２外壁パネルＰ２の間の所定間隔Ｔ（隙間）も約１０ｍｍとなるよう設定されている。
【００３６】
本実施形態のパネル引き寄せ治具１は、室内側から取り付け作業を実施することができ、また、ガスケット５７の挿入状態を確認しながら実行することができる。防水工事に室外側からの作業を必要とせず、狭小スペースにおいても外壁パネルを設置することができる。
【００３７】
＜＜第二実施形態＞＞
以上まで説明してきた実施形態（以下、第一実施形態）では、第２外壁パネルＰ２を水平方向にスライドさせ取り付けていた。しかしながら、第２外壁パネルＰ２が第１外壁パネルＰ１に対して上下方向にずれている場合があり、第一実施形態のパネル引き寄せ治具１では上下方向に対するずれを修正することが困難であった。
そこで、以下では、第一実施形態にさらに、上下方向についても引き寄せることに対応するパネル引き寄せ冶具の第二実施形態について説明する。
【００３８】
図９は第二実施形態のパネル引き寄せ治具２０１を示す斜視図である。パネル引き寄せ治具２０１は、第一実施形態のパネル引き寄せ治具２０１と同様、第１治具２１０と、第２治具２２０と、第１治具２１０と第２治具２２０とを連結する複数の横方向締結部材３０を備える。
【００３９】
また、第１治具２１０は、第一実施形態の第１治具１０と同様、第１固定部１１と、第１接合部１２、第１スペーサ１３とを備える。第２治具２２０も、第一実施形態の第２治具２０と同様、第２固定部２１と、第２接合部２２と、第２スペーサ２３とを備える。第１治具２１０は、第１外壁パネルＰ１に取り付けられ、第２治具２２０は、第２外壁パネルＰ２に取り付けられる。第１治具２１０と、第２治具２２０とが、横方向締結部材３０が、第１接合部１２と第２接合部２２に形成された横貫通孔１４，２４に挿通され横方向締結部材３０を締結することで、第２治具２２０が第１治具２１０に引き寄せられ、第２外壁パネルＰ２が引き寄せられる。水平方向に引き寄せられることは第一実施形態と同様であるため詳細な説明は省略する。
【００４０】
第二実施形態のパネル引き寄せ治具２０１は、さらに上下方向にも引き寄せることが可能になっている点が異なる。パネル引き寄せ治具２０１は、第１治具２１０と第２治具２２０とを上下方向に連結する複数の縦方向締結部材３１を備える。
【００４１】
また、第１治具２１０は、第１接合部１２の上端部から、第１接合部１２に対して垂直方向（図９の矢印Ｂ方向）に延びる平板状の第１上方接合部１５を有する。また、第１接合部１２の下端部から、第１接合部１２に対して垂直方向（図９の矢印Ｄ方向）かつ第１上方接合部１５の反対方向に延びる平板状の第１下方接合部１６を有する。
【００４２】
第２治具２２０は、第２接合部２２の上端部から、第２接合部２２に対して垂直方向かつ第１上方接合部１５と同方向（図９の矢印Ｂ方向）に延びる平板状の第２上方接合部２５を有する。また、第２治具２２０は、第２接合部２２の下端部から、第２接合部２２に対して垂直方向（図９の矢印Ｄ方向）かつ第２上方接合部２５の反対方向に延びる平板状の第２下方接合部２６を有する。
【００４３】
複数の縦方向締結部材３１のうち第１縦方向締結部材３１ａは、図９及び図１２に示すように、第１上方接合部１５に形成された第１縦貫通孔１７と、第１縦貫通孔１７に合わせて第２上方接合部２５に形成された第２縦貫通孔２７とに、共に挿通される。
また、第２縦方向締結部材３１ｂも、第１下方接合部１６に形成された第３縦貫通孔１８と、第３縦貫通孔１８に合わせて第２下方接合部２６に形成された第４縦貫通孔２８とに、共に挿通される。
【００４４】
図１０及び図１１に示すように、第２外壁パネルＰ２が、第１外壁パネルＰ１に対して上下方向にずれている場合、第２外壁パネルＰ２を水平方向に引き寄せても第１治具２１０の第１上方接合部１５と第２上方接合部２５との間に隙間ができる。また、第１下方接合部１６と第２下方接合部２６との間にも隙間が発生する。第１縦方向締結部材３１ａ及び第２縦方向締結部材３１ｂを締結することにより、第２治具２２０が下方に移動し隙間が解消される。そして、第２外壁パネルＰ２が下方に移動し、第１外壁パネルＰ１との段差が解消される（図１２〜図１４参照）。第２外壁パネルＰ２を躯体に取り付けた後、パネル引き寄せ治具２０１は、第１外壁パネルＰ１及び第２外壁パネルＰ２から取り外される。
【００４５】
第１治具２１０の第１スペーサ１３及び第２治具２２０の第２スペーサ２３には、第一実施形態の第１スペーサ１３及び第２スペーサ２３と同様、ボールキャスター３５が設けられている。第１スペーサ１３に設けられたボールキャスター３５のボール３５ａは、第２外壁パネルＰ２のフレーム５１に当接する。第２スペーサ２３に設けられたボールキャスター３５のボール３５ａは、第１外壁パネルＰ１のフレーム５１に当接する。ボールキャスター３５を設けず、第１スペーサ１３及び第２スペーサ２３が板だけの場合と比較すると、フレーム５１に当接するボール３５ａが回転することから、第２治具２２０は取り出しやすくなる。また、フレーム５１に傷等をつけることが抑止される。
【００４６】
次に、本発明に係る建築用パネル取付工法について説明する。上述のように、建築用パネル取付工法は、例えば隣地との距離が狭い狭小スペース等、室外側からガスケット５７等を取り付ける防水工事が困難な場所での工法である。
まず、第１外壁パネルＰ１又は第２外壁パネルＰ２の互いに対向する側面のうちいずれか一方にガスケット５７の一端を取り付けるガスケット取り付け工程（Ｓ１）を行う。ガスケット５７の取付けは外壁パネルを作製する工場で予め取り付けてもよく、現場で取り付けてもよい。
【００４７】
次に、予め取り付けられたガスケット５７の他端を、第１外壁パネルＰ１の側面に挿入するよう、第２外壁パネルＰ２を第１外壁パネルＰ１に向かって水平方向に引き寄せて固定するパネル取付工程（Ｓ２）を行う。水平方向に第２外壁パネルＰ２を移動させることから、ガスケット５７はよじれることなく第１外壁パネルＰ１に挿入され、ガスケット５７を目地に取り付けることができる。本実施形態のパネル取付工法では、室内側において外壁パネルの取り付け作業を完了させることができるため、狭小スペースにおいても、止水性を担保しつつ外壁パネルの取付けを行うことが可能になる。
【００４８】
なお、パネル取付工程（Ｓ２）において、第２外壁パネルＰ２を引き寄せる際に、上記実施形態で示したパネル引き寄せ治具１、２０１を使用してもよい。
【００４９】
以上、上記実施形態では、主として本発明に係るパネル引き寄せ治具及び建築用パネル取付工法について図を用いて説明した。
【符号の説明】
【００５０】
Ｐ１    第１外壁パネル（第１建築用パネル）
Ｐ２    第２外壁パネル（第２建築用パネル）
１、２０１    パネル引き寄せ治具
１０、２１０    第１治具
１１    第１固定部
１２    第１接合部
１３    第１スペーサ
１４    第１横貫通孔
１４ａ    長孔の第１横貫通孔
１５    第１上方接合部
１６    第１下方接合部
１７    第１縦貫通孔
１８    第３縦貫通孔
１９    第１取付孔
２０、２２０    第２治具
２１    第２固定部
２２    第２接合部
２３    第２スペーサ
２４    第２横貫通孔
２４ａ    長孔の第２横貫通孔
２５    第２上方接合部
２６    第２下方接合部
２７    第２縦貫通孔
２８    第４縦貫通孔
２９    第２取付孔
３０    横方向締結部材
３１    縦方向締結部材
３１ａ    第１縦方向締結部材
３１ｂ    第２縦方向締結部材
３２    取付部材
３３    ボルト
３４    ナット
３５    ボールキャスター
３５ａ    ボール
５１    フレーム
５２    板材
５３    縦胴縁
５４    外壁面材
５５    断熱材
５７    ガスケット
【図１】
2020105771.tif 000003
【図２】
2020105771.tif 000004
【図３】
2020105771.tif 000005
【図４】
2020105771.tif 000006
【図５】
2020105771.tif 000007
【図６】
2020105771.tif 000008
【図７】
2020105771.tif 000009
【図８】
2020105771.tif 000010
【図９】
2020105771.tif 000011
【図１０】
2020105771.tif 000012
【図１１】
2020105771.tif 000013
【図１２】
2020105771.tif 000014
【図１３】
2020105771.tif 000015
【図１４】
2020105771.tif 000016
【図１５】
2020105771.tif 000017
【図１６】
2020105771.tif 000018